(57)【要約】【課題】対象物の状態を連続的かつ高精度に計測することのできる状態計測装置を提供する。【解決手段】状態計測装置１は、車両１０の状態を計測する。状態計測装置１は、ＧＰＳ信号に基づいて車両１０の状態を計測するＧＰＳ車速算出部３１と、車両１０が走行する路面を撮影する第１カメラ２２や第２カメラ２３で撮影した路面の第１カメラ画像や第２カメラ画像に基づいて車両１０の状態を計測する画像車速算出部３２と、所定の選択条件を用いて選択状態を選択する選択部３５を備える。選択部３５は、選択条件が、ＧＰＳ車速算出部３１及び画像車速算出部３２のうち一方の計測精度が他方の計測精度以上となる所定の計測環境において一方により計測された状態を選択状態とするための条件であり、選択条件が成立することに基づいて一方により計測された状態を選択状態とし、かつ、選択条件が不成立であることに基づいて他方により計測された状態を選択状態とする。【選択図】図１
2019203732.tif 000002
【特許請求の範囲】
【請求項１】
移動体の状態を計測する状態計測装置であって、
ＧＰＳ信号に基づいて前記移動体の状態を計測する第１の計測部と、
前記移動体が走行する走行面を撮影する走行面撮影部で撮影した前記走行面の画像に基づいて前記移動体の状態を計測する第２の計測部と、
所定の選択条件を用いて選択状態を選択する選択部であって、前記選択条件が、前記第１の計測部及び前記第２の計測部のうち一方の計測精度が他方の計測精度以上となる所定の計測環境において前記一方により計測された状態を前記選択状態とするための条件であり、前記選択条件が成立することに基づいて前記一方により計測された状態を前記選択状態とし、かつ、前記選択条件が不成立であることに基づいて前記他方により計測された状態を前記選択状態とする前記選択部とを備え、
前記選択部で選択した前記選択状態を計測結果として出力する
状態計測装置。
【請求項２】
前記選択条件は、前記第１の計測部の計測精度が前記第２の計測部の計測精度以上となる所定の計測環境において前記第１の計測部により計測された状態を前記選択状態とするための条件を含む
請求項１に記載の状態計測装置。
【請求項３】
前記第１の計測部が計測する状態が第１の状態であり、前記第２の計測部が計測する状態が第２の状態であって、前記第１の状態及び前記第２の状態はそれぞれ前記移動体の速度であり、
前記第１の状態又は前記第２の状態が速度閾値未満であるとき、前記第２の状態の計測精度が前記第１の状態の計測精度以上であるものとし、前記速度閾値以上であるとき、前記第２の状態の計測精度が前記第１の状態の計測精度以上ではないものとする
請求項２に記載の状態計測装置。
【請求項４】
前記選択部は、前記一方により計測された状態と前記他方により計測された状態との間で前記選択状態を切り替えたとき、所定の期間内に、前記切り替えで選択した前記選択状態の割合を順次増大させるとともに、前記切り替えで非選択にした前記選択状態の割合を前記順次増大させることに応じて順次減少させることで前記選択状態を選択する
請求項１〜３のいずれか一項に記載の状態計測装置。
【請求項５】
前記第２の計測部は、所定の撮影間隔を空けて前記走行面撮影部で撮影した前記走行面の画像を比較することに基づいて前記移動体の状態を計測する
請求項１〜４のいずれか一項に記載の状態計測装置。
【請求項６】
前記走行面撮影部の前記走行面からの高さを計測する高さ計測部をさらに備え、
前記第２の計測部は、前記高さ計測部で計測した高さを考慮して前記移動体の状態を計測する
請求項１〜５のいずれか一項に記載の状態計測装置。
【請求項７】
前記走行面撮影部は、前記走行面のうちの同一領域を含むように同時に撮影した２つのカメラの画像をそれぞれ取得し、
前記高さ計測部は、前記２つのカメラの画像にそれぞれ含まれる前記同一領域と前記２つのカメラの相対位置関係とに基づいて前記走行面からの高さを計測する
請求項６に記載の状態計測装置。
【請求項８】
前記高さ計測部は、同一時点における前記走行面の複数の点のそれぞれの高さを計測する
請求項６又は７に記載の状態計測装置。
【発明の詳細な説明】
【技術分野】
【０００１】
本発明は、対象物の状態を計測する状態計測装置に関する。
【背景技術】
【０００２】
従来、自動車には様々な性能の評価が求められている。そうした評価のひとつに排ガス計測がある。排ガス計測は、シャシダイナモメータを利用した模擬走行により求めることもできるが、模擬走行と実路走行とでは計測結果に乖離が発生することもあり、実路走行が重要視されるようになっている。
【０００３】
自動車の実路走行による性能評価においては、自動車の状態の一つである速度であれば、低速度域から高速度域までを精度良く計測することが求められている。例えば、自動車の速度を精度良く計測する技術の一例が特許文献１に記載されている。
【０００４】
特許文献１に記載の装置は、ＩＭＵ（慣性計測装置）由来の第１の速度データを補正データ分だけ補正して第２の速度データを生成する速度補正部と、ＧＰＳ（全地球測位システム）受信機由来の第３の速度データを補間処理することにより第４の速度データを生成する補間処理部とを備える。また、この装置は、第２の速度データを制御データに基づく遅延量だけ遅延させることにより第５の速度データを生成する遅延処理部と、第４の速度データ由来の第６の速度データと第５の速度データとの間の差分データを算出する差分演算部とを備える。また、この装置は、差分データに基づいて補正データを算出する補正データ算出部と、差分データ由来のデータに基づいて第２の速度データを遅延させる制御データを生成することにより、第５の速度データを第６の速度データへの同期に近づけさせる制御データ生成部とを備える。これにより、ＩＭＵ及びＧＰＳ受信機双方を利用してリアルタイム性を確保しつつ、発散させることもなく正確な出力速度データを得る。
【先行技術文献】
【特許文献】
【０００５】
【特許文献１】特開２０１６−８５０６０号公報
【発明の概要】
【発明が解決しようとする課題】
【０００６】
確かに、ＧＰＳ衛星からの電波を用いることで高精度な速度計測を行うことができる。しかしながら、ＧＰＳ衛星からの電波は木々やビル群等によって反射されることに起因して同一信号の電波が複数方向から時間差を持って到達するという、いわゆるマルチパスの影響を受けたり、高架下やトンネルでは必要な数を受信することができないというようなことが不規則に生じる。こうしたマルチパスや電波の不感の影響により、高精度な速度計測を連続して行うには制約がある。また、ＩＭＵを組み合わせても、ＧＰＳ衛星からの電波が受信できないことによってＩＭＵに生じる累積誤差を解消する処理ができなくなって累積されている誤差の増減が不規則になったりする。よって、自動車等の移動体の状態について、高精度な計測を連続的に行うことが容易ではない。
【０００７】
なお、こうした課題は、移動体の速度の計測に限られるものではなく、速度に関連する距離や加速度の計測等にあっても同様である。
本発明は、このような実情に鑑みてなされたものであり、その目的は、対象物の状態を連続的かつ高精度に計測することのできる状態計測装置を提供することにある。
【課題を解決するための手段】
【０００８】
上記課題を解決する状態計測装置は、移動体の状態を計測する状態計測装置であって、ＧＰＳ信号に基づいて前記移動体の状態を計測する第１の計測部と、前記移動体が走行する走行面を撮影する走行面撮影部で撮影した前記走行面の画像に基づいて前記移動体の状態を計測する第２の計測部と、所定の選択条件を用いて選択状態を選択する選択部であって、前記選択条件が、前記第１の計測部及び前記第２の計測部のうち一方の計測精度が他方の計測精度以上となる所定の計測環境において前記一方により計測された状態を前記選択状態とするための条件であり、前記選択条件が成立することに基づいて前記一方により計測された状態を前記選択状態とし、かつ、前記選択条件が不成立であることに基づいて前記他方により計測された状態を前記選択状態とする前記選択部とを備え、前記選択部で選択した前記選択状態を計測結果として出力する。
【０００９】
この構成によれば、出力する計測結果を、選択条件に基づいて選択した第１の状態又は第２の状態からなる選択状態とすることができる。また、ＧＰＳ信号に基づく第１の状態の計測精度と、走行面の画像に基づく第２の状態の計測精度とのうち計測誤差が小さい等、高精度の状態である方が選択条件に応じて選択される。すなわち、選択条件に適合した状態が出力されるとともに、高精度である一方を選択することで、高精度な計測結果を連続して出力でき、移動体の状態を連続的かつ高精度に計測できる。
【００１０】
好ましい構成として、前記選択条件は、前記第１の計測部の計測精度が前記第２の計測部の計測精度以上となる所定の計測環境において前記第１の計測部により計測された状態を前記選択状態とするための条件を含む。
【００１１】
この構成によれば、計測環境においてＧＰＳ信号に基づく第１の状態の計測精度が走行面の画像に基づく第２の状態の計測精度以上となるとき、計測誤差が小さい等、高精度の第１の状態が選択される。
【００１２】
好ましい構成として、前記第１の計測部が計測する状態が第１の状態であり、前記第２の計測部が計測する状態が第２の状態であって、前記第１の状態及び前記第２の状態はそれぞれ前記移動体の速度であり、前記第１の状態又は前記第２の状態が速度閾値未満であるとき、前記第２の状態の計測精度が前記第１の状態の計測精度以上であるものとし、前記速度閾値以上であるとき、前記第２の状態の計測精度が前記第１の状態の計測精度以上ではないものとする。
【００１３】
この構成によれば、移動体の速度が速度閾値未満であるとき、走行面の画像に基づく第２の状態を選択し、速度閾値以上であるときはＧＰＳ信号に基づく第１の状態を選択する。すなわち、計測精度の高い計測結果を出力することができる。
【００１４】
好ましい構成として、前記選択部は、前記一方により計測された状態と前記他方により計測された状態との間で前記選択状態を切り替えたとき、所定の期間内に、前記切り替えで選択した前記選択状態の割合を順次増大させるとともに、前記切り替えで非選択にした前記選択状態の割合を前記順次増大させることに応じて順次減少させることで前記選択状態を選択する。
【００１５】
この構成によれば、一方により計測された状態と他方により計測された状態との間で計測された状態に相違があったとしても、その状態の間にある相違を割合の変化によって緩やかな変化とすることができる。これにより、選択状態の切り替えのとき、連続に近いかたちで状態が変化する。
【００１６】
好ましい構成として、前記第２の計測部は、所定の撮影間隔を空けて前記走行面撮影部で撮影した前記走行面の画像を比較することに基づいて前記移動体の状態を計測する。
この構成によれば、所定の撮影間隔を空けた走行面のトラッキング等に基づいて移動体の速度や旋回等を計測できる。
【００１７】
好ましい構成として、前記走行面撮影部の前記走行面からの高さを計測する高さ計測部をさらに備え、前記第２の計測部は、前記高さ計測部で計測した高さを考慮して前記移動体の状態を計測する。
【００１８】
この構成によれば、走行面撮影部の走行面からの高さが変動しても、当該変動を考慮することで、第２の状態の計測精度の低下を抑制できる。
なお、高さは、ステレオカメラ、投光光学式の距離計、レーザ干渉変位計、超音波式の距離計等で計測できる。
【００１９】
好ましい構成として、前記走行面撮影部は、前記走行面のうち、同一領域を含むように同時に撮影した２つのカメラの画像をそれぞれ取得し、前記高さ計測部は、前記２つのカメラの画像にそれぞれ含まれる前記同一領域と前記２つのカメラの相対位置関係とに基づいて前記走行面からの高さを計測する。
【００２０】
この構成によれば、ステレオカメラ等の２つのカメラの撮影画像に基づいてステレオカメラ等の高さを計測できる。走行面の撮影にステレオカメラを利用すれば走行面撮影部の高さ及び移動体の状態を簡単な構成で計測できるようになる。
【００２１】
好ましい構成として、前記高さ計測部は、同一時点における前記走行面の複数の点のそれぞれの高さを計測する。
この構成によれば、移動体の姿勢を計測することができる。例えば、同一時点で２点を計測すれば、２点を結ぶ方向に対する移動体の傾きを計測することができる。また、同一時点で３点を計測すれば、３点が形成する面に基づいて移動体の姿勢を計測できる。
【発明の効果】
【００２２】
この発明によれば、対象物の状態を連続的かつ高精度に計測することができる。
【図面の簡単な説明】
【００２３】
【図１】状態計測装置の一実施形態を示すブロック図。
【図２】同実施形態において、車両におけるカメラの配置を示す側面図。
【図３】同実施形態において、車両におけるカメラの配置を示す正面図。
【図４】同実施形態において、車速に含まれる誤差と計測方法との関係を示すグラフ。
【図５】同実施形態において、車速を計測する手順を示すフローチャート。
【図６】状態計測装置のその他の実施形態を示すブロック図。
【図７】状態計測装置のその他の実施形態を示す側面図。
【図８】状態計測装置のその他の実施形態を示す車両におけるカメラの配置を示す図であって、（ａ）は側面図、（ｂ）は正面図。
【図９】状態計測装置のその他の実施形態を示す車両におけるカメラの配置を示す図であって、（ａ）は側面図、（ｂ）は正面図。
【発明を実施するための形態】
【００２４】
図１〜図５を参照して、状態計測装置の一実施形態について説明する。本実施形態の状態計測装置は、移動体に用いられる状態計測装置である。本実施形態の移動体は、自動車等の車両１０である。
【００２５】
図１に示すように、車両１０は、当該車両１０の車両状態を計測する状態計測装置１を備えている。車両状態としては、車両１０が停止又は走行している路面１００（図２参照）に対する車両１０の速度（以下、車速と記す）、位置、加速度の少なくとも１つが挙げられる。本実施形態では、車両状態は車速であり、走行面や基準面は、路面１００（図２参照）から構成される。
【００２６】
車両１０は、ＧＰＳ（グローバルポジショニングシステム）アンテナ２０、ステレオカメラ２１、及び車載制御装置２５を備える。車載制御装置２５は、信号処理部３０、記憶部３４、選択部３５及び出力部４０を備える。
【００２７】
ＧＰＳアンテナ２０は、複数のＧＰＳ衛星が送信するＧＰＳ信号を受信する。ＧＰＳアンテナ２０は、受信したＧＰＳ信号を信号処理部３０に送信する。ＧＰＳ信号には、ＧＰＳアンテナ２０の現在の緯度、経度、ＧＰＳ誤差及び測位時刻を取得可能な情報が含まれている。
【００２８】
図２及び図３に示すように、ステレオカメラ２１は、車両１０が停止又は走行している路面１００を撮影する撮影機器である。ステレオカメラ２１は、いわゆるパッシブ型であって、視差を再現するように車両１０の幅方向にカメラ間隔ＬＤを空けて配置された走行面撮影部としての第１カメラ２２及び第２カメラ２３を有している。第１カメラ２２及び第２カメラ２３は、路面１００を撮影可能なカメラであり、例えばＣＣＤカメラやＣＭＯＳカメラである。ステレオカメラ２１は、第１カメラ２２で第１カメラ画像を撮影し、第２カメラ２３で第２カメラ画像を撮影する。ステレオカメラ２１は、第１カメラ画像と第２カメラ画像とに重複して撮影された範囲に対する視差に基づいて撮影された路面１００の奥行き（路面１００とステレオカメラ２１との間の距離）を計測し、計測された奥行き方向の情報を撮影画像に対応付ける。
【００２９】
走行中の車両１０は、上下に振動するため、路面１００とステレオカメラ２１との間の距離が逐次変動する。そこで、路面１００とステレオカメラ２１との距離を逐次算出し、この算出した距離を撮影画像に対応させる。また、この距離に基づいて撮影範囲における１画素の長さが規定される。
【００３０】
第１カメラ２２及び第２カメラ２３は、路面１００に対して略垂直方向から撮影可能なように車両１０の後部に設けられ、車両１０から略垂直方向下方となる路面１００を撮影する。また、第１カメラ２２及び第２カメラ２３は、車両１０の幅方向に所定のカメラ間隔ＬＤを有している。また、第１カメラ２２及び第２カメラ２３は、それらの光軸が互いに平行になるように設けられている。ステレオカメラ２１は、路面１００の撮影画像である第１カメラ画像と第２カメラ画像とそれら画像に対応付けられている奥行き情報を信号処理部３０（図１参照）に送信する。
【００３１】
図１に示すように、車載制御装置２５は、ＣＰＵ、ＲＯＭ、ＲＡＭ、その他の記憶装置からなる記憶部３４を有するコンピュータを含み構成されている。車載制御装置２５は、ＲＯＭや記憶部３４に記憶されているプログラムをＣＰＵで演算処理することで、所定の処理を行う。本実施形態では、ＲＯＭや記憶部３４に記憶されているプログラムをＣＰＵで演算処理することで、信号処理部３０、選択部３５、及び出力部４０のそれぞれに必要とされる各演算処理を実行する。
【００３２】
記憶部３４は、信号処理部３０からのデータの読出しや、書込みが可能に構成されている。記憶部３４は、信号処理部３０で実行されるプログラムや、第１カメラ２２や第２カメラ２３に設定するパラメータの設定値や、ステレオカメラ２１から送られた第１カメラ画像や第２カメラ画像等を記憶している。
【００３３】
信号処理部３０は、車両状態として車速を算出するが、走行位置や加速度を算出してもよい。信号処理部３０は、ＧＰＳアンテナ２０から取得したＧＰＳ信号に基づいて車速を算出する第１の計測部としてのＧＰＳ車速算出部３１と、ステレオカメラ２１から取得した路面１００の撮影画像に基づいて車速を算出する第２の計測部としての画像車速算出部３２とを備える。本実施形態では、ＧＰＳ信号に基づいて算出された車速が第１の状態としてのＧＰＳ車速であり、路面１００の撮影画像に基づいて算出された車速が第２の状態としての画像車速である。
【００３４】
ＧＰＳ車速算出部３１は、ＧＰＳ信号に基づいて車両１０の現在位置を計測する。具体的にＧＰＳ車速算出部３１は、車両１０の位置情報として緯度及び経度を算出する。
また、ＧＰＳ車速算出部３１は、ＧＰＳ信号に基づいて車速を計測する。本実施形態では、高精度、かつ、短周期に車速が計測される構成を採用している。すなわち、ＧＰＳ車速算出部３１は、ＧＰＳ衛星から出力されている搬送波のドップラー効果から車速を求める。具体的には、ＧＰＳ車速算出部３１は、複数（４個以上）のＧＰＳ衛星からの搬送波周波数を測定し、測定した搬送波周波数から得られた車速を位置と同様の測位演算を施すことにより、車速を高精度、かつ、短時間に求める。例えば、ＧＰＳ車速算出部３１の車速の計測誤差は、時速３０ｋｍ以上の所定の計測条件下で、時速０．２ｋｍ以下に抑えられる。また、衛星数が５〜７個で十分に整った環境であれば、時速３０ｋｍ以上で誤差が０．０５％以下（時速０．０１５ｋｍ以下）に抑えられる。
【００３５】
なお、ＧＰＳ信号に基づいて車速を計測する一態様としては、算出した緯度、経度及び経過時間に基づいて計測する技術もあるが、この技術によって計測される車速の精度は低く、更新間隔も長くなる傾向にある。
【００３６】
図４のグラフＬ２は、実際の車速［ｋｍ／ｈ］に対し、ＧＰＳ車速に含まれる誤差分散を示す。グラフＬ２に示すように、ＧＰＳ車速算出部３１の計測するＧＰＳ車速に含まれる誤差分散は、実際の車速にかかわらずに略一定となる傾向にある。
【００３７】
画像車速算出部３２は、路面１００の撮影画像に基づいて車速を計測する。なお、車速は、第１カメラ画像、又は第２カメラ画像のいずれか一方の画像から算出することができるので、ここでは説明の便宜上、第１カメラ画像に基づいて車速を計測する場合について例示する。
【００３８】
画像車速算出部３２は、例えばアスファルト舗装された路面１００を、所定の時間間隔である撮影間隔を空けて第１カメラ２２で撮影して得られた２枚の第１カメラ画像に含まれる同一領域をトラッキングすることで車速を算出する。すなわち、撮影間隔だけ時間の異なる２枚の第１カメラ画像において、同一領域が移動した距離と、２枚の第１カメラ画像の撮影間隔とから車速が計測される。例えば、撮影間隔の間に車両１０が実際に移動した距離は、第１カメラ画像上での移動距離（画素数）と、式（１）に示される１画素当たりの実際の長さとの積によって求めることができる。
【００３９】
２つの撮影位置（間隔は既知）に２つのカメラが配置されているとき、注目している同一領域までの距離ｄは、２つのカメラがそれぞれ撮影した２つのカメラ画像から求められる。具体的には、２つのカメラ間の基線（単に２つのカメラ同士を結んだ線）の長さと、カメラ画像において注目している同一領域に対する一方のカメラの主光線の角度αと、他方のカメラの主光線の角度βとから基線に対する距離ｄを得る。また、カメラの画角をθ、画像一辺の画素数Ｑとすれば、前記基線に対する距離ｄとともに１画素当たりの実際の長さｓは式（１）のように求められる。
【００４０】
ｓ＝２ｄ／Ｑ・ｔａｎ（θ／２）…（１）
そして、車両１０が実際に移動した距離Ｌは、第１カメラ画像上での移動量（画素数）Δｐと、式（１）に示される１画素当たりの実際の長さｓとの積（式（２））によって求められる。
【００４１】
Ｌ＝Δｐ・ｓ…（２）
ところで、画像車速算出部３２による車速計測では、２枚の第１カメラ画像の両方に同一領域が含まれる必要がある。車速が遅ければ、両方に含まれる同一領域は広く、逆に、車速が速ければ、両方に含まれる同一領域が狭くなる。換言すると、車速が速くなることに応じて２つの第１カメラ画像で重複する範囲が狭くなることで、車速の計測精度が低下する。そして、重複する範囲が生じなくなる程度に車速が速くなると車速を計測できなくなる。このように、計測精度を変える車速は、計測環境を示すパラメータの一例である。
【００４２】
また、画像車速は、車両１０の速度が高くなるにつれてモーションブラー（動きによって被写体の画像に生じるぶれ）が大きくなり、２つの第１カメラ画像間における観測位置の変位を算出する精度が低下し、その結果、速度計測誤差が大きくなる。
【００４３】
図４のグラフＬ１は、実際の車速［ｋｍ／ｈ］に対し、画像車速に含まれる誤差分散を示す。グラフＬ１に示すように、画像車速算出部３２が算出する画像車速に含まれる誤差は、車速が遅ければ小さく、車速が速くなると大きくなる傾向を有している。
【００４４】
以上から、画像車速算出部３２は、まず、ステレオカメラ２１から測定対象までの距離ｄを逐次計測し、１画素に対応する長さを逐次算出する。次に、２つの第１カメラ画像の同一領域について、画像上での移動量を算出する。そして、画像車速算出部３２は、第１カメラ画像上での移動量（画素数）Δｐと、１画素当たりの実際の長さｓとの積と、２つの第１カメラ画像の撮影間隔とに基づいて車速を計測する。
【００４５】
選択部３５は、ＧＰＳ車速算出部３１が算出したＧＰＳ車速と、画像車速算出部３２が算出した画像車速とのうち、高精度であると推定される車速を選択する。
図４に示すように、ＧＰＳ車速に含まれる誤差は車速にかかわらずに略一定の傾向である（グラフＬ２）。一方、画像車速は、車速が速くなるに応じて誤差が大きくなり精度が低下する傾向を有している（グラフＬ１）。また、画像車速は、車速が速くなると計測できなくもなる（グラフＬ１の破線部分）。つまり、所定の選択条件としての速度閾値Ｖｔｈまでは、画像車速の精度がＧＰＳ車速よりも高く、所定の速度閾値Ｖｔｈ以上では、ＧＰＳ車速の精度が画像車速の精度よりも高くなる。車速の計測精度の大小関係は、「車速＜速度閾値Ｖｔｈ」のとき「画像車速＞ＧＰＳ車速」であり、「車速≧速度閾値Ｖｔｈ」のとき「画像車速≦ＧＰＳ車速」である。なお、速度閾値Ｖｔｈは、例えば、「時速２０ｋｍ」以上「時速６０ｋｍ」以下にあることが好ましい。
【００４６】
よって、図４のグラフＬ３に示すように、選択部３５は、車速が「車速＜速度閾値Ｖｔｈ」であるとき、出力として「画像車速」を選択し、車速が「車速≧速度閾値Ｖｔｈ」であるとき、出力として「ＧＰＳ車速」を選択する。これにより、車速が低速度域から高速度域のいずれの範囲にあっても車速が高精度で計測される。例えば、市街地のように停止と走行とが繰り返されて速度変化が激しい環境等であっても、車速の計測精度の低下が抑制されて、自動車の燃費計測における距離の計測が高い精度で行える。
【００４７】
なお、車速が速度閾値Ｖｔｈの近傍にある場合、「画像車速」の計測精度、及び、「ＧＰＳ車速」の計測精度は同程度である。よって、「速度閾値Ｖｔｈ」と比較される車速は、「ＧＰＳ車速」であってもよいし、「画像車速」であってもよい。また、「速度閾値Ｖｔｈ」と比較される車速は、車両１０の運転席に備え付けられている速度計であってもよい。
【００４８】
ここでは、選択部３５は、「ＧＰＳ車速」が選択されているとき、「速度閾値Ｖｔｈ」と「ＧＰＳ車速」とを比較して、選択する速度を「ＧＰＳ車速」のまま維持するか、「画像車速」に変更するかを定める。よって、「ＧＰＳ車速」の計測精度が突然低下したり、計測できなくなったりするときには、出力用に選択される速度が「画像車速」や「速度計」に切り替えられる。「ＧＰＳ車速」の計測精度の低下や、計測不能としては、林やビル等によるＧＰＳ信号の反射によるマルチパスが生じる走行環境や、高架下やトンネルなどＧＰＳ信号の受信が困難な走行環境である場合が挙げられる。このように、計測精度を変える走行環境は、計測環境の一例である。
【００４９】
また、選択部３５は、「画像車速」が選択されているとき、「速度閾値Ｖｔｈ」と「画像車速」とを比較して、選択する速度を「画像車速」のまま維持するか、「ＧＰＳ車速」に変更するかを定める。よって、「画像車速」の計測精度が突然低下したり、計測できなくなったりするときには、出力用に選択される速度が「ＧＰＳ車速」や「速度計」に切り替えられる。「画像車速」の計測精度の低下や、計測不能としては、路面１００が水面、雪面、砂面、土面、芝生、敷板等トラッキングできない状態にある場合、路面１００の白線等のペイント部分である場合等が挙げられる。このように、計測精度を変える路面状態は、計測環境の一例である。
【００５０】
なお、運転席の「速度計」は、タイヤ径の変化や路面とタイヤとの間に生じるすべりの影響で計測精度は高くないが、車両１０の走行に実用的な計測精度を有しているとともに、速度計測が不可能になることが少なく、「ＧＰＳ車速」や「画像車速」に代えて一時的に利用することが可能である。逆に言えば、テストコース等であって、「ＧＰＳ車速」及び「画像車速」の少なくとも一方による車速計測が確実に可能な走行環境であれば、「速度計」を利用しなくてもよい。
【００５１】
出力部４０は、選択部３５で選択された車速を外部へ出力する。出力部４０から出力された車速は、車両１０の実路走行における走行評価の計測結果として測定装置に記憶される。また、表示装置等を介して精度の高い車速を表示してもよい。
【００５２】
（作用）
図５を参照して、状態計測装置１の動作について説明する。状態計測装置１は、高精度な車速の計測を、状態計測装置１のスタートボタンが押されたこと、車両１０がエンジン始動等、走行可能になると開始し、状態計測装置１のストップボタンが押されたり、車両１０がエンジン停止等、走行不可能な状態になると終了する。なお、車速の計測開始時及び計測終了時、車速は任意の速度であるものとする。また、計測開始時、車両速度Ｖａには初期値として任意の速度が設定される。また、車載制御装置２５は、「ＧＰＳ車速」及び「画像車速」をそれぞれ一定周期で算出するとともに、算出された「ＧＰＳ車速」及び「画像車速」は常に取得可能とする。
【００５３】
車速の計測が開始されると、状態計測装置１は、車両速度Ｖａを検出する（ステップＳ１０）。車両速度Ｖａは、計測開始直後は任意の速度が設定され、その後は、選択されている「ＧＰＳ車速」又は「画像車速」で計測車速が設定される。
【００５４】
次に、選択部３５は、車両速度Ｖａが速度閾値Ｖｔｈ以上であるか否かを判定する（ステップＳ１１）。初回の判定以外であれば、速度閾値Ｖｔｈ未満からの加速時には「画像車速」から算出された車両速度Ｖａと速度閾値Ｖｔｈとが比較される。逆に、速度閾値Ｖｔｈ以上の速度からの減速時には「ＧＰＳ車速」から算出された車両速度Ｖａと速度閾値Ｖｔｈとが比較される。
【００５５】
そして、車両速度Ｖａが速度閾値Ｖｔｈ以上と判定された場合（ステップＳ１１でＹＥＳ）、選択部３５は、「ＧＰＳ車速Ｖ２」を車両速度Ｖａに選択する（ステップＳ１２）。一方、車両速度Ｖａが速度閾値Ｖｔｈ未満と判定された場合（ステップＳ１１でＮＯ）、選択部３５は、「画像車速Ｖ１」を車両速度Ｖａに選択する（ステップＳ１３）。すなわち、選択部３５は、車両速度Ｖａの速度閾値Ｖｔｈとの比較に基づいて、「ＧＰＳ車速Ｖ２」と「画像車速Ｖ１」とのうちの計測誤差の少ない計測精度の高い車速を選択する。そして、いずれのステップの場合でもステップＳ１４に進む。
【００５６】
「ＧＰＳ車速Ｖ２」又は「画像車速Ｖ１」が選択されると、出力部４０は、「ＧＰＳ車速Ｖ２」及び「画像車速Ｖ１」の選択された一方を「車速Ｖｃ」として出力する（ステップＳ１４）。すなわち、「ＧＰＳ車速Ｖ２」及び「画像車速Ｖ１」のうちから選択された高精度で誤差の少ない車両速度Ｖａが「速度Ｖｃ」として出力される。
【００５７】
続いて、車載制御装置２５は車速計測の終了条件が成立しているか否かを判定する（ステップＳ１５）。車速計測の終了条件は、状態計測装置１のストップボタンが押されたこと、車両１０のエンジンが停止されたことに基づいて判定される。車速計測の終了条件が成立しないと判定された場合（ステップＳ１５でＮＯ）、車載制御装置２５は、状態計測装置１の処理をステップＳ１０に戻して、ステップＳ１０に続く処理を実行する。一方、車速計測の終了条件が成立すると判定された場合（ステップＳ１５でＹＥＳ）、状態計測装置１の車速を計測する処理が終了される。
【００５８】
以上説明したように、本実施形態によれば、以下に記載する効果が得られる。
（１）出力する計測結果を、速度閾値Ｖｔｈに基づいて選択したＧＰＳ車速又は画像車速とすることができる。すなわち、速度閾値Ｖｔｈに適合した車速が出力されるとともに、高精度である一方を選択することで、高精度な計測結果を連続して出力することができる。これにより、車両１０の車速を連続的かつ高精度に計測できる。
【００５９】
（２）ＧＰＳアンテナ２０からの信号に基づく状態であるＧＰＳ車速の計測精度と、路面１００の画像に基づく状態である画像車速とのうち計測誤差が小さい等、高精度の状態が選択される。
【００６０】
（３）車両１０の車速が速度閾値Ｖｔｈ未満であるとき、路面１００の画像に基づく画像車速を選択し、速度閾値Ｖｔｈ以上であるときにはＧＰＳ信号に基づくＧＰＳ車速を選択する。すなわち、計測精度の高い計測結果を出力することができる。
【００６１】
（４）所定の撮影間隔を空けた路面１００の画像のトラッキング等に基づいて車両１０の速度や旋回の計測ができる。
（５）第１カメラ２２又は第２カメラ２３の路面１００からの距離（高さ）が変動しても、当該変動を考慮することで、画像車速の計測精度の低下を抑制することができる。なお、高さはステレオカメラ２１で計測ができる。
【００６２】
（６）ステレオカメラ２１の２つのカメラの撮影画像である第１カメラ画像と第２カメラ画像とに基づいてステレオカメラ２１の高さを計測できる。路面１００の撮影にステレオカメラ２１を利用すれば第１カメラ２２や第２カメラ２３の高さ及び車両１０の状態を簡単な構成で計測ができるようになる。
【００６３】
（その他の実施形態）
なお上記実施形態は、以下の態様で実施することもできる。
・ＩＭＵ（慣性計測装置）から得られる車速を、ＧＰＳ車速算出部３１から得られる車速で補正する装置に画像車速を適用してもよい。
【００６４】
図６に示すように、状態計測装置１は、ＩＭＵ２４を備え、車載制御装置２５は、ＩＭＵ車速姿勢取得部３６と、カルマンフィルタ３７とを備えていてもよい。ＩＭＵ２４は、車両１０の車速や姿勢を検出して車載制御装置２５に出力する。ＩＭＵ車速姿勢取得部３６は、ＩＭＵ２４が出力した車両１０の車速を取得する。カルマンフィルタ３７は、ＩＭＵ２４からの車速と選択部３５で選択されたＧＰＳ車速又は画像車速とが入力される。そして、カルマンフィルタ３７は、ＩＭＵ２４からの車速がＧＰＳ車速又は画像車速で補正された出力を出力部４０に出力する。すなわち、ＧＰＳ車速又は画像車速を利用することで速度域に応じて有利な計測値を選択できるとともに、こうして選択された有利な計測値をＩＭＵ２４からの車速に対する補正値とすることで車速の計測精度を高めることができる。
【００６５】
ＧＰＳ車速は測地系における水平速度であるが、画像車速は車両座標系に対する対地速度である。また、ＩＭＵ２４は、車両座標系における物理量を算出する。よって、ＩＭＵ２４が計測した車速と、画像車速とを統合する場合、カルマンフィルタ３７までに座標変換を必要としない等の相性のよさを有している。
【００６６】
・車載制御装置２５は、信号処理部３０や、選択部３５や、出力部４０の処理を実行するプログラムを有するパーソナルコンピュータ（ＰＣ）等であってもよい。
また、一旦、記憶部３４に記憶したカメラ画像に基づいて事後的に車速を計測してもよい。
【００６７】
・上記実施形態では、ステレオカメラ２１の光軸が路面１００に対して略垂直である場合について示した。これに限らず、ステレオカメラは、路面の模様をトラッキング可能な程度に撮影ができれば、光軸が路面に対して略垂直ではなくてもよい。例えば、路面に対するカメラの光軸が、車両の前後方向に傾きを有していたり、車両の幅方向に傾きを有していてもよい。こうした傾きによる影響は、傾きを考慮した演算処理等により適切に処理可能であり、傾きを補正する演算により垂直である場合と同様に処理することができる。なお、画像車速の計測には、路面１００に対する傾きが垂直（９０°）に近いほうが非常に好ましいが、４５°以上であれば好ましく、４５°未満であっても数ｍ以内の路面１００が撮影可能であれば計測可能である。
【００６８】
例えば、図７には、バックモニタ用のカメラ２１Ｃを画像車速の計測に使用する一例が記載されている。バックモニタ用のカメラ２１Ｃは、車両１０後方の駐車区画を認識することができる。また、障害物等を認識できるように撮影可能範囲が広角である。そして、カメラ２１Ｃが撮影した画像のうち、路面１００が鮮明に撮影されている範囲を取得することで、カメラ２１Ｃの高さ、及び、画像車速を計測することができる。
【００６９】
・ステレオカメラ２１は、車両１０の後部に設置される場合に限られず、路面１００の撮影が可能ならば車両１０の前方、車両１０の側方、車両１０の下方の少なくとも１か所に設けられていてもよい。
【００７０】
例えば、図８（ａ）及び（ｂ）に示すように、ステレオカメラ２１Ａを車両１０の底面に取り付けてもよい。一般に、カメラは周囲の明るさの変化が急激であると、露光感度が調整できるまで適切な明度の画像を撮影できない。この点、車両１０の底面は、車両１０に覆われていることから相対的には暗いものの、明度の変化が相対的に小さく、露光感度の調整も少なくて済むため、走行環境によらず画像を適切な明度で撮影できる可能性が高められる。
【００７１】
・上記実施形態では、ステレオカメラ２１の２つのカメラは車幅方向にカメラ間隔ＬＤを空けて配置される場合について示したが、これに限らず、カメラの路面からの距離を計測できれば、カメラが車長方向など、車幅方向以外にカメラ間隔を空けて配置されてもよい。
【００７２】
例えば、図９（ａ）及び（ｂ）に示すように、ステレオカメラ２１Ｂを構成する２台のカメラを車両１０の底面において車長方向にカメラ間隔を空けて取り付けてもよい。これによっても、三角測量の原理に基づいて路面に対するステレオカメラ２１Ｂの高さを計測することができる。
【００７３】
・上記実施形態では、状態計測装置１は、車両１０の状態を計測する場合について示したが、これに限らず、状態計測装置１は、路面や床面等を移動する移動体の速度等の状態を計測してもよい。
【００７４】
・上記実施形態では、状態計測装置１は、車速を計測する場合について示したが、さらに、車両等の姿勢を計測してもよい。例えば、第１カメラ画像と第２カメラ画像との重複する範囲に含まれている２点について路面や床面等の基準面との間の距離（高さ）を計測することにより、２点を結ぶ方向に対する車両の傾きを計測することができる。３点以上について路面や床面等の基準面との間の距離（高さ）を計測することにより車両の基準面に対する姿勢を計測することができる。
【００７５】
・上記実施形態では、撮影範囲に対応する距離がステレオカメラ２１で計測される場合について示した。これに限らず、ステレオカメラの第１カメラ画像と第２カメラ画像とを得た車載制御装置の信号処理部で撮影範囲に対応する距離を計測してもよい。
【００７６】
・上記実施形態では、ステレオカメラ２１は、パッシブ型である場合について示した。これに限らず、ステレオカメラは、レーザ発振器から照射したレーザ光をカメラで受光し、この受光したレーザ光の変位に基づいて物体の奥行情報である３次元形状を計測するアクティブ型であってもよい。
【００７７】
・上記実施形態では、ステレオカメラ２１で路面１００との距離（高さ）を計測する場合について示した。これに限らず、距離（高さ）は投光光学式の距離計、レーザ干渉変位計、超音波式の距離計等で計測してもよい。
【００７８】
・また、路面１００との距離（高さ）を、１つのカメラが撮影した路面の時間的に連続な複数の画像に基づいて連続して複数点計測するようにしてもよい。１つのカメラは、ステレオカメラのうちのいずれか１つのカメラでもよいし、単眼カメラであってもよい。例えば、画像解析処理の１つであるビジュアルオドメトリ（Ｖｉｓｕａｌ  Ｏｄｍｅｔｒｙ）に基づいて動きのあるフレーム間でステレオカメラと同様の処理を行うことで高さを計測してもよい。
【００７９】
・ステレオカメラ２１は、第１カメラ２２及び第２カメラ２３の光軸が平行である場合に限らず、２つのカメラの間の相対角度及びカメラ間隔等の相対関係が明確であれば、第１カメラ２２及び第２カメラ２３の光軸が平行ではなくてもよい。
【００８０】
・ステレオカメラ２１は、第１カメラ２２及び第２カメラ２３の２つのカメラを有する場合に限られず、３つ以上のカメラを有していてもよい。
・上記実施形態では、路面１００の第１カメラ画像に基づいて車速が算出される場合について示したが、これに限らず、第１カメラ画像に基づいて旋回等を計測してもよい。車両の直進方向に対して第１カメラ画像や第２カメラ画像の向きは予め分かっているので、同一領域の幅方向の位置の変化によって車両の旋回を計測することもできる。
【００８１】
・上記実施形態では、所定の選択条件に応じて画像車速及びＧＰＳ車速のいずれか一方が選択される場合について示した。これに限らず、画像車速とＧＰＳ車速との選択によって切り替えられる選択状態に対応する値について、移行期間を設けてなだらかな変化となるようにしてもよい。例えば、画像車速とＧＰＳ車速との間で選択状態を切り替えたとき、所定の期間（移行期間）内に、切り替えで選択した選択状態（例えば、画像車速）の割合を順次増大させるとともに、切り替えで非選択にした選択状態（例えば、ＧＰＳ車速）の割合を前記順次増大させることに応じて順次減少させるようにして選択状態を選択する。例えば、順次増大させる割合と、順次減少させる割合とを足して「１」となる重みとして設定するものとし、切り替え時は、順次増大させる割合の増加量に対応する減少量を順次減少させる割合から減少させるようにすればよい。
【００８２】
すなわち、一方により計測された状態と他方により計測された状態との間で計測された状態に相違があったとしても、その状態の相違を割合変化によって緩やかに変化させることができる。これにより、選択される状態が切り替えられたとき、連続に近いかたちで状態が変化されるようになる。
【００８３】
このとき、所定の選択条件を所定の期間を考慮して変更してもよい。所定の選択条件が、完全な切り替わりを想定している場合、所定の期間の終わりのタイミングで選択した状態が１００％となるように、所定の選択条件を変更してもよい。例えば、画像車速からＧＰＳ車速に切り替えられるときの速度に対して、ＧＰＳ車速から画像車速に切り替えられるときの速度を高くしてもよい。速度が高くなるときは、速度が低くなるときに比べて速度閾値Ｖｔｈを低い速度に設定してもよい。
【００８４】
・上記実施形態では、ステレオカメラ２１から路面１００までの距離を逐次算出する場合について示した。これに限らず、路面からステレオカメラまでの高さの変動が小さいようであれば、１画素に対応する実際の長さを予め設定した長さとしてもよい。車両の振動が小さいのであれば、あらかじめ設定された１画素の長さを利用しても、一定の精度で車速を計測することができる。
【００８５】
・上記実施形態では、状態計測装置１は、車速を計測する場合について示したが、これに限らず、状態計測装置１は、車速に基づいて計測することのできる走行位置や加速度を計測してもよい。
【００８６】
・信号処理部３０は、画像車速算出部３２を外部装置として有し、この外部装置で計測した車速を取得してもよい。
・信号処理部３０は、ＧＰＳ車速算出部３１を外部装置として有し、この外部装置で計測した車速を取得してもよい。例えば、外部装置としては、ＬＣ−８３００（小型高感度速度計、株式会社小野測器社製）等が挙げられる。ＬＣ−８３００は、時速３０ｋｍ以上等の所定の条件下で時速０．２ｋｍ以内の高精度で車速を計測することができる。
【００８７】
・上記実施形態では、速度閾値Ｖｔｈが「時速２０ｋｍ」以上、かつ、「時速６０ｋｍ」以下の範囲で予め定められている場合について示した。これに限らず、ＧＰＳ車速の精度に応じて変化させてもよい。詳述すると、ＧＰＳ車速の精度は、ＧＰＳ信号を受信することのできるＧＰＳ衛星の数が多くなると高くなる。よって、ＧＰＳ信号を受信できるＧＰＳ衛星の数が多いとき、ＧＰＳ車速の選択範囲を広くするように速度閾値Ｖｔｈを小さくし、逆に、ＧＰＳ信号を受信できるＧＰＳ衛星の数が少ないとき、ＧＰＳ車速の選択範囲を狭くするように速度閾値Ｖｔｈを大きくしてもよい。また、ＧＰＳ衛星の数が３個以下である場合、画像車速による計測が限界となる車速まで画像車速を選択するようにしてもよい。
【符号の説明】
【００８８】
１…状態計測装置、１０…車両、２０…ＧＰＳアンテナ、２１，２１Ａ，２１Ｂ…ステレオカメラ、２１Ｃ…カメラ、２２…第１カメラ、２３…第２カメラ、２５…車載制御装置、３０…信号処理部、３１…ＧＰＳ車速算出部、３２…画像車速算出部、３４…記憶部、３５…選択部、４０…出力部、１００…路面。
【図１】
2019203732.tif 000003
【図２】
2019203732.tif 000004
【図３】
2019203732.tif 000005
【図４】
2019203732.tif 000006
【図５】
2019203732.tif 000007
【図６】
2019203732.tif 000008
【図７】
2019203732.tif 000009
【図８】
2019203732.tif 000010
【図９】
2019203732.tif 000011